(57)【特許請求の範囲】
【請求項１】
第１の励起光と第２の励起光とを含む複数の励起光によって励起されると前記複数の励起光よりも波長が短い蛍光を発する発光体を分散させて保持し、前記蛍光を表示させる表示面を備えた表示媒体と、
前記第１の励起光を発する第１の光源と、
前記第１の励起光を前記表示媒体に導入する第１の導入部材と、
前記第２の励起光を発する第２の光源と、
前記第１の励起光と交差させるように前記第２の励起光を前記表示媒体に導入する第２の導入部材と、
前記表示媒体の特定の位置において前記第１の励起光と前記第２の励起光とを交差させるように前記第１の光源および前記第２の光源を制御する制御部材と、を有し、
前記第１の導入部材は、前記表示面に当接し前記第１の励起光を前記表示面から前記表示媒体に導入し前記表示面に沿って伝搬させ、前記第２の導入部材は、前記表示面に当接し前記第２の励起光を前記表示面から前記表示媒体に導入し前記表示面に沿って伝搬させてなり、
さらに、前記第１の励起光における前記第１の導入部材から前記表示媒体に入射するまでの光路、および前記第２の励起光における前記第２の導入部材から前記表示媒体に入射するまでの光路から離間した部分の前記表示面に当接し、前記第１の励起光および前記第２の励起光の波長において前記表示媒体よりも屈折率が小さい被覆部材を有し、前記被覆部材が前記第１の導入部材および前記第２の導入部材のそれぞれに当接されていない状態に配置される表示装置。
【請求項２】
少なくとも、前記第１の導入部材は、前記表示面と交差するように延在し前記第１の励起光を前記表示面に向かって屈折させつつ伝搬させる入射面を、備えた請求項１に記載の表示装置。
【請求項３】
前記入射面は、凸状のシリンドリカル面からなる請求項２に記載の表示装置。
【請求項４】
少なくとも、前記第１の導入部材は、前記表示面と交差するように延在し前記第１の励起光を前記表示面に向かって反射させつつ伝搬させる反射面を、備えた請求項１〜３のいずれか１項に記載の表示装置。
【請求項５】
前記反射面は、凹状のシリンドリカル面からなる請求項４に記載の表示装置。
【請求項６】
少なくとも、前記第１の光源と前記第１の導入部材との間にコリメータレンズを、さらに有する請求項１〜５のいずれか１項に記載の表示装置。
【請求項７】
少なくとも、前記第１の光源と前記第１の導入部材との間にシリンドリカルレンズを、さらに有する請求項１〜６のいずれか１項に記載の表示装置。
【請求項８】
少なくとも、前記第１の導入部材は、前記表示媒体と屈折率が同一である請求項１〜７のいずれか１項に記載の表示装置。
【請求項９】
前記第１の励起光は、前記表示媒体の内部を反射しつつ伝搬し、
少なくとも、前記第１の導入部材は、反射して伝搬する前記第１の励起光の光路から離間した部分の前記表示面に当接している請求項１〜８のいずれか１項に記載の表示装置。
【請求項１０】
前記表示媒体は、前記蛍光とは波長が異なる他の蛍光を発する１つ以上の他の発光体をさらに分散させて保持し、
前記発光体と１以上の前記他の発光体とによって、赤色、緑色および青色の波長の光の蛍光を発し、
前記発光体または１以上の前記他の発光体を励起する他の励起光を発する他の光源を、さらに有し、
前記第１の導入部材または前記第２の導入部材は、さらに前記他の励起光を前記表示媒体に向かって導入させる請求項１〜９のいずれか１項に記載の表示装置。
【請求項１１】
前記第１の励起光と前記他の励起光を合波して前記第１の導入部材に入射させる合波器を、さらに有する請求項１０に記載の表示装置。
【請求項１２】
前記第１の光源は、複数備え、
前記第２の光源は、複数備え、
前記制御部材は、前記表示媒体の特定の位置に対応する特定の前記第１の光源および前記第２の光源を制御する請求項１〜１１のいずれか１項に記載の表示装置。
【請求項１３】
前記表示媒体を車両のフロントガラスに貼り付けて用いる請求項１〜１２のいずれか１項に記載の表示装置。
【請求項１４】
第１の励起光と第２の励起光とを含む複数の励起光によって励起されると前記複数の励起光よりも波長が短い蛍光を発する発光体を分散させて保持し前記蛍光を表示させる表示媒体に対して、前記第１の励起光と前記第２の励起光とを特定の位置において交差させるようにして伝搬して前記蛍光を発生させることによって情報を前記表示媒体の表示面に表示するように制御する表示装置の制御方法であって、
前記第１の励起光を前記表示面に当接した第１導入部材を介して前記表示面から前記表示媒体に導入し前記表示面に沿って伝搬させ、前記第２の励起光を前記表示面に当接した第２導入部材を介して前記表示面から前記表示媒体に導入し前記表示面に沿って伝搬させて前記情報を表示するように制御してなり、
当該制御のときに、前記表示媒体の前記表示面に当接させた被覆部材によって前記第１の励起光および前記第２の励起光が前記表示媒体から外部に出射されることを防止し、かつ、前記第１の励起光を前記第１導入部材から前記被覆部材を経由することなく前記表示媒体に直接導入し、前記第２の励起光を前記第２導入部材から前記被覆部材を経由することなく前記表示媒体に直接導入する表示装置の制御方法。
【発明の詳細な説明】
【技術分野】
【０００１】
本発明は、表示装置および表示装置の制御方法に関する。
【背景技術】
【０００２】
従来から、２種類の波長の励起光によって励起されると当該励起光よりも波長が短い蛍光を発する発光体を分散させて保持した表示媒体を備え、蛍光によって所定の情報を表示させる表示装置がある（特許文献１を参照。）。
【０００３】
特許文献１に開示された表示装置では、表示媒体（表示部）の内部に向かって２種類のレーザ光源（赤外光源）からそれぞれ励起光（赤外光）を照射して、それらの励起光が交差した部分に存在する発光体（蛍光体粒子）から蛍光を発生させることによって、所定の情報を表示させている。
【先行技術文献】
【特許文献】
【０００４】
【特許文献１】特開２００６−２４９２５４号公報
【発明の概要】
【発明が解決しようとする課題】
【０００５】
ところで、特許文献１に記載の表示装置には、レーザ光源から発せられた励起光を表示媒体の端面から内部に導入し表示媒体を伝搬させる構成が開示されている（例えば図６を参照。）。このような表示装置において、表示媒体の内部に導入させる励起光との干渉を避けつつ、表示媒体の端面に隣接して構造物を設けるような技術の開発が要請されている。
【０００６】
本発明は、上記の要請に応えるためになされたものであり、表示媒体の端面に隣接して構造物を設けることができる表示装置および表示装置の制御方法を提供することにある。
【課題を解決するための手段】
【０００７】
上記目的を達成するための本発明の表示装置は、表示媒体と、第１の光源と、第１の導入部材と、第２の光源と、第２の導入部材と、制御部材と、を有する。前記表示媒体は、第１の励起光と第２の励起光とを含む複数の励起光によって励起されると前記複数の励起光よりも波長が短い蛍光を発する発光体を分散させて保持し、前記蛍光を表示させる表示面を備えた。前記第１の光源は、前記第１の励起光を発する。前記第１の導入部材は、前記第１の励起光を前記表示媒体に導入する。前記第２の光源は、前記第２の励起光を発する。前記第２の導入部材は、前記第１の励起光と交差させるように前記第２の励起光を前記表示媒体に導入する。前記制御部材は、前記表示媒体の特定の位置において前記第１の励起光と前記第２の励起光とを交差させるように前記第１の光源および前記第２の光源を制御する。ここで、前記第１の導入部材は、前記表示面に当接し前記第１の励起光を前記表示面から前記表示媒体に導入し前記表示面に沿って伝搬させ、前記第２の導入部材は、前記表示面に当接し前記第２の励起光を前記表示面から前記表示媒体に導入し前記表示面に沿って伝搬させる。表示装置はさらに、被覆部材を有する。被覆部材は、前記第１の励起光における前記第１の導入部材から前記表示媒体に入射するまでの光路、および前記第２の励起光における前記第２の導入部材から前記表示媒体に入射するまでの光路から離間した部分の前記表示面に当接し、前記第１の励起光および前記第２の励起光の波長において前記表示媒体よりも屈折率が小さい。前記被覆部材が前記第１の導入部材および前記第２の導入部材のそれぞれに当接されていない状態に配置される。
【０００８】
上記目的を達成するための本発明の表示装置の制御方法は、第１の励起光と第２の励起光とを含む複数の励起光によって励起されると前記複数の励起光よりも波長が短い蛍光を発する発光体を分散させて保持し前記蛍光を表示させる表示媒体に対して、前記第１の励起光と前記第２の励起光とを特定の位置において交差させるようにして伝搬して前記蛍光を発生させることによって情報を前記表示媒体の表示面に表示するように制御する。ここで、前記第１の励起光を前記表示面に当接した導入部材を介して前記表示面から前記表示媒体に導入し前記表示面に沿って伝搬させ、前記第２の励起光を前記表示面に当接した第２導入部材を介して前記表示面から前記表示媒体に導入し前記表示面に沿って伝搬させて前記情報を表示するように制御する。当該制御のときに、前記表示媒体の前記表示面に当接させた被覆部材によって前記第１の励起光および前記第２の励起光が前記表示媒体から外部に出射されることを防止し、かつ、前記第１の励起光を前記第１導入部材から前記被覆部材を経由することなく前記表示媒体に直接導入し、前記第２の励起光を前記第２導入部材から前記被覆部材を経由することなく前記表示媒体に直接導入する。
【発明の効果】
【０００９】
表示装置および表示装置の制御方法によれば、表示媒体の端面に隣接して構造物を設けることができる。
【図面の簡単な説明】
【００１０】
【図１】第１実施形態の蛍光発光ディスプレイの使用方法の一例を模式的に示す図である。
【図２】図１の蛍光発光ディスプレイの構成を模式的に示す斜視図である。
【図３Ａ】図２の蛍光発光ディスプレイの要部を示す斜視図である。
【図３Ｂ】図３Ａの蛍光発光ディスプレイを示す側面図である。
【図４】図１の蛍光発光ディスプレイの表示方法を模式的に示す正面図である。
【図５】第１実施形態の変形例１に係る蛍光発光ディスプレイの要部を模式的に示す側面図である。
【図６】第１実施形態の変形例２に係る蛍光発光ディスプレイの要部を模式的に示す斜視図である。
【図７】第１実施形態の変形例３に係る蛍光発光ディスプレイの要部を模式的に示す斜視図である。
【図８】第２実施形態の蛍光発光ディスプレイの要部を示す側面図である。
【図９】第２実施形態の変形例の蛍光発光ディスプレイの要部を示す側面図である。
【図１０】第３実施形態の蛍光発光ディスプレイの要部を示す側面図である。
【図１１】第４実施形態の蛍光発光ディスプレイの要部を示す側面図である。
【発明を実施するための形態】
【００１１】
以下、添付した図面を参照しながら、本発明の実施形態を説明する。図面において、同一の部材には同一の符号を付し、重複する説明を省略する。図面において、各部材の大きさや比率は、実施形態の理解を容易にするために誇張し、実際の大きさや比率とは異なる場合がある。
【００１２】
図において、Ｘ、Ｙ、およびＺによって表す矢印は、方向を示している。Ｘによって表す矢印は、表示フィルム１１２等における第１の励起光ＥＬ１１等の伝搬方向を示している。Ｙによって表す矢印は、Ｘによって表す方向と直交し、表示フィルム１１２等における第２の励起光ＥＬ１２等の伝搬方向を示している。Ｚによって表す矢印は、表示フィルム１１２等の厚み方向を示している。
【００１３】
（第１実施形態）
図１は、第１実施形態の蛍光発光ディスプレイ１００の使用方法の一例を模式的に示す図である。
【００１４】
図１を参照して、蛍光発光ディスプレイ１００は、一例として、車両１０のフロントガラス１１の室内側に貼り付けて使用する。蛍光発光ディスプレイ１００は、例えば、車両１０の速度等に関する情報を文字によって表示することができる（図１中のＧ１）。蛍光発光ディスプレイ１００は、車両１０の現在地から目的地までの道順に関する情報を地図によって表示することができる（図１中のＧ２）。蛍光発光ディスプレイ１００は、車両１０の進行方向に存在する歩行者等の情報を人型の図形で表示することができる（図１中のＧ３）。
【００１５】
図２は、図１の蛍光発光ディスプレイ１００の構成を模式的に示す斜視図である。図３Ａは、図２の蛍光発光ディスプレイ１００の要部を示す斜視図である。図３Ｂは、図３Ａの蛍光発光ディスプレイ１００を示す側面図である。図３では、蛍光体微粒子１１１の図示を省略している。
【００１６】
図２および図３を参照して、第１実施形態に係る蛍光発光ディスプレイ１００（表示装置に相当する）は、概説すれば、表示フィルム１１２（表示媒体に相当する）と、第１の光源１２１と、第１のプリズム１２４（第１の導入部材に相当する）と、第２の光源１３１と、第２のプリズム１３４（第２の導入部材に相当する）と、制御ユニット１４０（制御部材に相当する）と、を有する。
【００１７】
具体的には、表示フィルム１１２は、第１の励起光ＥＬ１１（赤外光である波長１５５０ｎｍの光）と第２の励起光ＥＬ１２（赤外光である波長８５０ｎｍの光）とを含む複数の励起光によって励起されると複数の励起光よりも波長が短い第１の蛍光ＲＬ１（可視光である緑色）を発する蛍光体微粒子１１１（第１の発光体に相当する）を分散させて保持し、第１の蛍光ＲＬ１を表示させる表示面（第１表示面１１２ａ）を備えた。第１の光源１２１は、第１の励起光ＥＬ１１を発する。第１のプリズム１２４は、第１の励起光ＥＬ１１を表示フィルム１１２に導入する。第２の光源１３１は、第２の励起光ＥＬ１２を発する。第２のプリズム１３４は、第１の励起光ＥＬ１１と交差させるように第２の励起光ＥＬ１２を表示フィルム１１２に導入する。制御ユニット１４０は、表示フィルム１１２の特定の位置において第１の励起光ＥＬ１１と第２の励起光ＥＬ１２とを交差させるように第１の光源１２１および第２の光源１３１を制御する。ここで、少なくとも、第１のプリズム１２４は、第１表示面１１２ａに当接し第１の励起光ＥＬ１１を第１表示面１１２ａから表示フィルム１１２に導入し第１表示面１１２ａに沿って伝搬させる。
【００１８】
蛍光発光ディスプレイ１００は、図２に示すように、表示フィルム１１２を車両１０のフロントガラス１１に貼り付けた状態において、表示フィルム１１２の端面（第１端面１１２ｃおよび第２端面１１２ｄ）およびフロントガラス１１の端面（第１端面１１ｃおよび第２端面１１ｄ）に対して、接合部材２０をモールドしている。接合部材２０は、フロントガラス１１の端面と車両の筐体（不図示）とを接合する接着剤である。
【００１９】
フロントガラス１１と車両の筐体との間に接合部材２０（構造物に相当する）を充填して硬化させることによって互いに接合するような構成の場合、フロントガラス１１に表示フィルム１１２を貼り付けて、その表示フィルム１１２の端面（例えば第１端面１１２ｃ）から励起光を導入するようなことは、接合部材２０が干渉することから困難である。
【００２０】
以下、第１実施形態に係る蛍光発光ディスプレイ１００について詳述する。
【００２１】
蛍光発光ディスプレイ１００は、図２に示すように、可視光である緑色の第１の蛍光ＲＬ１によって情報を表示する表示ユニット１１０、表示ユニット１１０に赤外光の第１の励起光ＥＬ１１を供給する第１光源ユニット１２０、表示ユニット１１０に赤外光の第２の励起光ＥＬ１２を供給する第２光源ユニット１３０、および第１光源ユニット１２０と第２光源ユニット１３０を制御する制御ユニット１４０から構成している。
【００２２】
なお、図２では、表示フィルム１１２について、Ｘ方向およびＹ方向に対してＺ方向を誇張している。すなわち、表示フィルム１１２は、本来シート状に形作られているが、フロントガラス１１に対して分厚く誇張して図示している。また、図２では、表示フィルム１１２について、一例として正方形状として図示しているが、図１に示すように車両１０のフロントガラス１１の全面に貼り付けて用いる場合には、横長の長方形状として形作ってもよい。
【００２３】
図２を参照して、表示ユニット１１０は、蛍光体微粒子１１１を均一かつ密に分散させて保持する表示フィルム１１２を含んでいる。
【００２４】
表１に、蛍光体微粒子１１１の光学特性を示す。
【００２５】
【表１】
0006717050.tif 000002
【００２６】
蛍光体微粒子１１１は、それぞれ赤外光である第１の励起光ＥＬ１１および第２の励起光ＥＬ１２によって励起されると、可視光である緑色の第１の蛍光ＲＬ１を発する微粒子である。蛍光体微粒子１１１は、第１の励起光ＥＬ１１または第２の励起光ＥＬ１２のみでは蛍光を発しない。
【００２７】
蛍光体微粒子１１１は、例えば、母材のハロゲン化物のフッ化ナトリウムイットリウム（ＮａＹＦ４）に対して発光材のエルビウム（Ｅｒ）をドープして構成している。蛍光体微粒子１１１は、第１の励起光ＥＬ１１と第２の励起光ＥＬ１２によって励起されると、Ｅｒ３＋イオンのエネルギー準位からの遷移に伴い、緑色の波長の光に相当する第１の蛍光ＲＬ１を発する。
【００２８】
蛍光体微粒子１１１の大きさは、表示フィルム１１２を伝搬する第１の励起光ＥＬ１１および第２の励起光ＥＬ１２のスポット径よりも十分に小さい。蛍光体微粒子１１１から発せられる第１の蛍光ＲＬ１の波長は、母材にドープする発光材の種類に依存する。
【００２９】
表示フィルム１１２は、互いに対向した第１表示面１１２ａと第２表示面１１２ｂを備えている。第１表示面１１２ａまたは第２表示面１１２ｂは、第１の蛍光ＲＬ１によって、様々な情報（図１中のＧ１、Ｇ２およびＧ３）を表示する。表示フィルム１１２は、第１表示面１１２ａと比較して第１端面１１２ｃが十分に小さく、フィルム状に形成している。
【００３０】
表示フィルム１１２は、第１のプリズム１２４を介して、第１の励起光ＥＬ１１を第１表示面１１２ａから内部に入射させる。表示フィルム１１２は、第２のプリズム１３４を介して、第２の励起光ＥＬ１２を第１表示面１１２ａから内部に入射させる。第１の励起光ＥＬ１１および第２の励起光ＥＬ１２は、表示フィルム１１２の第１表示面１１２ａと第２表示面１１２ｂとの間で交互に反射しつつ、第１表示面１１２ａに沿って伝搬する。
【００３１】
表示フィルム１１２は、可視光（紫色〜赤色）の全域において透明な材質から構成している。したがって、表示フィルム１１２を車両１０のフロントガラス１１に貼り付けた状態において、車両１０の乗員が表示フィルム１１２越しに車両１０の前方を視認できる。
【００３２】
表示フィルム１１２中の蛍光体微粒子１１１から発光される第１の蛍光ＲＬ１は、可視光である緑色である。ここで、人の視感度のピークは、明所では約５５５ｎｍであって、暗所では約５０７ｎｍである。第１の蛍光ＲＬ１は、５００ｎｍ〜５６０ｎｍの波長に相当する緑色の光であることから、乗員にとって非常に視認し易い。一方、表示フィルム１１２を伝搬する第１の励起光ＥＬ１１および第２の励起光ＥＬ１２は、赤外光であることから、乗員が視認することがない。
【００３３】
図２及び図３を参照して、第１光源ユニット１２０は、第１の励起光ＥＬ１１を発する第１の光源１２１、第１の励起光ＥＬ１１を第１のコリメータレンズ１２３に向かって伝搬する複数の第１の光ファイバ１２２、対応する各々の第１の光ファイバ１２２から入射した第１の励起光ＥＬ１１をコリメートしつつ第１のプリズム１２４に伝搬する複数の第１のコリメータレンズ１２３を含んでいる。また、第１光源ユニット１２０は、第１表示面１１２ａに当接し第１の励起光ＥＬ１１を表示フィルム１１２に導入する第１のプリズム１２４、および第１の光源１２１と制御ユニット１４０を中継する電線１２５を含んでいる。
【００３４】
第１の光源１２１は、例えば、第１の励起光ＥＬ１１の波長に相当する光を発するレーザダイオードと、第１の励起光ＥＬ１１を集光する集光レンズをユニット化して構成している。具体的には、第１の光源１２１は、例えば、発振波長が１５５０ｎｍのレーザダイオードをマウントし、窓板が集光レンズからなるＣＡＮ（窓を備えた金属筒）パッケージの赤外光源から構成している。
【００３５】
第１の光源１２１のレーザダイオードには、例えば、光通信用の赤外線レーザダイオードを用いている。光通信用の赤外線レーザは、一般的に、光の発振に対する信頼性が高く、堅牢であって、かつ廉価である。ＣＡＮパッケージの窓板である集光レンズは、光源から出射した第１の励起光ＥＬ１１を集光して、第１の光ファイバ１２２に入射させるものである。
【００３６】
第１の光ファイバ１２２は、第１の励起光ＥＬ１１を第１のコリメータレンズ１２３に向かって伝搬するものである。第１の光ファイバ１２２には、例えば波長が１５５０ｎｍに対応した光通信用のシングルモードファイバ（Ｓｉｎｇｌｅ  Ｍｏｄｅ  ｏｐｔｉｃａｌ  Ｆｉｂｅｒ：ＳＭＦ）を用いている。光通信用の光ファイバは、一般的に、光の伝搬に対する信頼性が高く、堅牢であって、かつ廉価である。第１の光ファイバ１２２には、入射する光の最大受光角を表す開口数（Ｎｕｍｅｒｉｃａｌ  Ａｐｅｒｔｕｒｅ：ＮＡ）が、例えば０．１以下のものを用いている。
【００３７】
第１のコリメータレンズ１２３は、対応する第１の光ファイバ１２２から入射した第１の励起光ＥＬ１１をコリメートしつつ第１のプリズム１２４に伝搬するものである。複数の第１のコリメータレンズ１２３は、第１のプリズム１２４の入射面１２４ａに沿って一列に配列している。
【００３８】
第１のコリメータレンズ１２３は、非球面レンズや球面レンズから構成する。第１のコリメータレンズ１２３は、第１の光ファイバ１２２から出射される第１の励起光ＥＬ１１の発散角と波長、および第１のプリズム１２４に伝搬させる第１の励起光ＥＬ１１のスポット径等によって、その仕様を決定する。第１のコリメータレンズ１２３の仕様は、その材質や入射面および出射面の曲率、かつ、第１のコリメータレンズ１２３の入射面と第１の光ファイバ１２２との作動距離に関するものである。
【００３９】
第１のコリメータレンズ１２３は、複数のコリメータレンズを一体に形成した１個のアレイレンズによって構成してもよい。１個のアレイレンズを用いれば、複数のコリメータレンズ同士を精度良く配置する必要もなく、かつ、各々のコリメータレンズを密集させるようにして形成することが容易である。
【００４０】
第１のコリメータレンズ１２３は、デッドインデックス（Ｇｒａｄｅｄ  ｉｎｄｅｘ：ＧＩ）によって構成してもよい。ＧＩレンズは、光の伝搬方向に沿って円柱形状であって、径方向に沿って屈折率が連続的に変化したレンズである。ＧＩレンズは、入射した発散光をコリメートしつつ出射する。ＧＩレンズは、第１の光ファイバ１２２の出射部分に接合することによって、第１の光ファイバ１２２と一体的に構成することができる。
【００４１】
第１のプリズム１２４は、図２および図３に示すように、第１の励起光ＥＬ１１を第１表示面１１２ａから表示フィルム１１２に導入し、その第１の励起光ＥＬ１１を第１表示面１１２ａに沿ってＸ方向に伝搬させるものである。第１のプリズム１２４は、図３Ｂに示すように側面が三角形からなり、図２および図３Ａに示すようにＹ方向に沿って延在する長方体によって形成している。
【００４２】
第１のプリズム１２４は、第１表示面１１２ａと交差するようにＸ方向に傾斜した平面状の入射面１２４ａと、表示フィルム１１２の第１表示面１１２ａに密着する平面状の出射面１２４ｂを備えている。第１のプリズム１２４は、表示フィルム１１２と同一の材料から構成している。第１のプリズム１２４は、表示フィルム１１２の第１端面１１２ｃの上縁に沿うように、第１表示面１１２ａに接合している。第１のプリズム１２４は、図３Ｂに示すように、表示フィルム１１２の内部を反射して伝搬する第１の励起光ＥＬ１１の光路Ｋ１から離間した部分Ｂ１の第１表示面１１２ａに当接している。
【００４３】
第１のプリズム１２４は、表示フィルム１１２と同一の材料から構成している。第１のプリズム１２４は、表示フィルム１１２と異なる材料から構成する場合であっても、少なくとも第１の励起光ＥＬ１１および第２の励起光ＥＬ１２の波長において、表示フィルム１１２と同様の屈折率を備えた材料から構成する。
【００４４】
第１のプリズム１２４は、図３Ｂに示すように、Ｘ方向に沿って伝搬する第１の励起光ＥＬ１１を入射面１２４ａから入射させて、その第１の励起光ＥＬ１１をＺ方向の下方およびＸ方向に向かって伝搬させつつ、出射面１２４ｂから表示フィルム１１２の第１表示面１１２ａに対して導入（斜入射）する。第１の励起光ＥＬ１１は、表示フィルム１１２の第１表示面１１２ａと第２表示面１１２ｂとの間で交互に反射しつつ、第１表示面１１２ａに沿ってＸ方向に伝搬する。
【００４５】
電線１２５は、第１の光源１２１に対して制御ユニット１４０を介して電力を供給するものである。電線１２５は、第１の光源１２１の駆動電流および駆動電圧の仕様を満たすものを選択して用いている。
【００４６】
図２を参照して、第２光源ユニット１３０は、第２の励起光ＥＬ１２の波長に相当する光を発する第２の光源１３１、第２の励起光ＥＬ１２を第１の励起光ＥＬ１１と交差するように第２のコリメータレンズ１３３に向かって伝搬する複数の第２の光ファイバ１３２、対応する各々の第２の光ファイバ１３２から入射した第２の励起光ＥＬ１２をコリメートしつつ第２のプリズム１３４に伝搬する複数の第２のコリメータレンズ１３３を含んでいる。また、第２光源ユニット１３０は、第１表示面１１２ａに当接し第２の励起光ＥＬ１２を表示フィルム１１２に導入する第２のプリズム１３４、および第２の光源１３１と制御ユニット１４０を中継する電線１３５を含んでいる。
【００４７】
第２の光源１３１は、第２の励起光ＥＬ１２に相当する発振波長が８５０ｎｍの光通信用の赤外線レーザダイオードを用いていることを除いて、第１の光源１２１と同様の構成からなる。
【００４８】
第２の光ファイバ１３２は、第２の励起光ＥＬ１２に相当する８５０ｎｍの波長の光に対応した光通信用のＳＭＦを用いていることを除いて、第１の光ファイバ１２２と同様の構成からなる。
【００４９】
第２のコリメータレンズ１３３は、第２の励起光ＥＬ１２に相当する８５０ｎｍの波長の光に対応していることを除いて、第１のコリメータレンズ１２３と同様の構成からなる。複数の第２のコリメータレンズ１３３は、第２のプリズム１３４の入射面１３４ａに沿って一列に配列している。
【００５０】
第２のプリズム１３４は、図２に示すように、第１の励起光ＥＬ１１と交差させるように、第２の励起光ＥＬ１２を第１表示面１１２ａから表示フィルム１１２に導入し、その第２の励起光ＥＬ１２を第１表示面１１２ａに沿ってＹ方向に伝搬させるものである。第２のプリズム１３４は、入射面１３４ａの角度が第２の励起光ＥＬ１２に相当する８５０ｎｍの波長の光に対応していることを除いて、第１のプリズム１２４と同様の構成からなる。
【００５１】
第２のプリズム１３４は、表示フィルム１１２の第２端面１１２ｄの上縁に沿うように、第１表示面１１２ａに接合している。第２のプリズム１３４は、第１のプリズム１２４と同様に、第２の励起光ＥＬ１２を第１表示面１１２ａに対してＹ方向に傾斜した入射面１３４ａから入射させて、その第２の励起光ＥＬ１２を出射面１３４ｂから表示フィルム１１２の第１表示面１１２ａに導入する。第２のプリズム１３４は、表示フィルム１１２と同一の材料から構成している。
【００５２】
電線１３５は、第２の光源１３１に対して制御ユニット１４０を介して電力を供給するものである。電線１３５は、電線１２５と同様の構成からなる。
【００５３】
図２を参照して、制御ユニット１４０は、第１の光源１２１および第２の光源１３１を制御する。
【００５４】
制御ユニット１４０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）を含んでいる。ＣＰＵは、蛍光発光ディスプレイ１００に関する制御プログラムを実行する。ＲＯＭは、プログラムを格納している。プログラムは、例えば外部の機器から受信した表示に関する情報に基づき、第１の光源１２１および第２の光源１３１の発光のタイミングを制御するものである。外部の機器は、例えば、車両１０を制御する制御機器、車両１０のカーナビゲーションシステムに備えられた無線機器、および車両１０に搭載され歩行者等を認識するカメラ機器である。ＲＡＭは、ＣＰＵによって実行される演算の結果を一時的に記憶する。
【００５５】
図４は、図１の蛍光発光ディスプレイ１００の表示方法を模式的に示す正面図である。
【００５６】
図４を参照して、蛍光発光ディスプレイ１００は、表示フィルム１１２の特定の位置において、第１のコリメータレンズ１２３によって伝搬された第１の励起光ＥＬ１１と、第２のコリメータレンズ１３３によって伝搬された第２の励起光ＥＬ１２を交差させる。第１の励起光ＥＬ１１と第２の励起光ＥＬ１２が交差した部分に存在する蛍光体微粒子１１１は、第１の蛍光ＲＬ１を発して、所定の情報を表示する。蛍光体微粒子１１１は、第１の励起光ＥＬ１１または第２の励起光ＥＬ１２のみの照射では発光することがなく、第１の励起光ＥＬ１１および第２の励起光ＥＬ１２の両方の照射によって発光する。
【００５７】
図４では、一例として、表示フィルム１１２の１つの画素を第１の蛍光ＲＬ１によって表示している。実際には、制御ユニット１４０は、１列に並んだ第１のコリメータレンズ１２３と、第１のコリメータレンズ１２３と交差するようにして１列に並んだ第２のコリメータレンズ１３３を介して、様々な情報（図１中のＧ１、Ｇ２およびＧ３）を表示する。すなわち、制御ユニット１４０は、表示フィルム１１２において格子状に存在する表示画素のうち、所定の表示画素を同時に発光させることによって、文字や図形等からなる情報を表示する。
【００５８】
以上説明した第１実施形態の作用効果を説明する。
【００５９】
蛍光発光ディスプレイ１００は、第１のプリズム１２４が、第１表示面１１２ａに当接し第１の励起光ＥＬ１１を表示フィルム１１２の第１表示面１１２ａから表示フィルム１１２に導入し第１表示面１１２ａに沿って伝搬させる。さらに、蛍光発光ディスプレイ１００は、第２のプリズム１３４が、第１表示面１１２ａに当接し第２の励起光ＥＬ１２を表示フィルム１１２の第１表示面１１２ａから表示フィルム１１２に導入し第１表示面１１２ａに沿って伝搬させる。
【００６０】
蛍光発光ディスプレイ１００の制御方法では、第１の励起光ＥＬ１１を第１表示面１１２ａに当接した第１のプリズム１２４を介して第１表示面１１２ａから表示フィルム１１２に導入し第１表示面１１２ａに沿って伝搬させて情報を表示するように制御する。さらに、蛍光発光ディスプレイ１００の制御方法では、第２の励起光ＥＬ１２を第１表示面１１２ａに当接した第２のプリズム１３４を介して第１表示面１１２ａから表示フィルム１１２に導入し第１表示面１１２ａに沿って伝搬させて情報を表示するように制御する。
【００６１】
かかる蛍光発光ディスプレイ１００および蛍光発光ディスプレイ１００の制御方法によれば、プリズム（第１のプリズム１２４および第２のプリズム１３４）を介して、励起光（第１の励起光ＥＬ１１および第２の励起光ＥＬ１２）を第１表示面１１２ａから表示フィルム１１２に導入することによって、表示フィルム１１２の端面（第１端面１１２ｃおよび第２端面１１２ｄ）に隣接して接合部材２０を設けることができる。
【００６２】
ここで、これまでの蛍光発光デバイスは、励起光を表示フィルムに対して直接的に入射させて、その励起光を表示フィルム内に伝搬させていた。一方、第１実施形態の蛍光発光ディスプレイ１００は、励起光をプリズム（第１のプリズム１２４および第２のプリズム１３４）を介して第１表示面１１２ａから表示フィルム１１２に導入し、その励起光を第１表示面１１２ａに沿わせるように表示フィルム１１２の内部を伝搬させることができる。具体的には、蛍光発光ディスプレイ１００は、第１表示面１１２ａに当接したプリズムを備えていることによって、励起光が第１表示面１１２ａに沿って表示フィルム１１２の内部を十分な距離にわたって伝搬できるように、励起光の光軸を第１表示面１１２ａに対して十分に傾斜させることができる。すなわち、励起光は、プリズムが無ければ表示フィルム１１２の界面（第１表示面１１２ａ）において全反射してしまい表示フィルム１１２の内部に伝搬させることができないような入射角度であっても、第１表示面１１２ａに当接したプリズムを介することによって、第１表示面１１２ａを透過して表示フィルム１１２の内部を伝搬することができる。
【００６３】
特に、蛍光発光ディスプレイ１００は、励起光をプリズムを介して第１表示面１１２ａから表示フィルム１１２の内部に導入し、その励起光を第１表示面１１２ａと第２表示面１１２ｂとの間で交互に反射させつつ第１表示面１１２ａに沿わせるように表示フィルム１１２の内部を伝搬させることができる。このような構成であれば、励起光を表示フィルム１１２の一端から他端まで十分に伝搬させることができる。本来、表示フィルム１１２の第１表示面１１２ａと第２表示面１１２ｂとの間で交互に反射しつつ伝搬するような励起光は、表示フィルム１１２の第１表示面１１２ａから内部に導入しようとしても界面（第１表示面１１２ａ）において全反射してしまい表示フィルム１１２の内部に伝搬させることができない。ところが、蛍光発光ディスプレイ１００は、第１表示面１１２ａに当接したプリズムを介することによって、励起光を第１表示面１１２ａから透過させて表示フィルム１１２の内部に導入しつつ、その励起光を第１表示面１１２ａと第２表示面１１２ｂとの間で交互に反射させつつ第１表示面１１２ａに沿うように伝搬させることができる。
【００６４】
また、蛍光発光ディスプレイ１００は、励起光を平坦な第１表示面１１２ａから表示フィルム１１２の内部に導入する。仮に、表示フィルム１１２の厚みが薄く（例えば０．１ｍｍ以下）、端面（第１端面１１２ｃおよび第２端面１１２ｄ）を平坦に形成し難いような場合であっても、その端面の状態に全く影響を受けることなく、励起光を表示フィルム１１２の内部に導入することができる。すなわち、蛍光発光ディスプレイ１００は、励起光を平坦な第１表示面１１２ａから表示フィルム１１２の内部に導入することから、第１表示面１１２ａにおける乱反射等を防止して、励起光の入射ロスを十分に抑制することができる。したがって、蛍光発光ディスプレイ１００は、表示フィルム１１２に情報を十分に表示することができる。
【００６５】
また、蛍光発光ディスプレイ１００は、プリズムの入射面を、Ｚ方向に沿って十分に大きく形成することによって、励起光にＺ方向に沿った位置ずれが発生しても、その励起光を入射面からプリズムの内部に伝搬させることができる。したがって、蛍光発光ディスプレイ１００は、励起光のＺ方向に沿った位置ずれの影響を抑制し、表示フィルム１１２に情報を十分に表示することができる。
【００６６】
また、蛍光発光ディスプレイ１００は、表示フィルム１１２の端面（第１端面１１２ｃおよび第２端面１１２ｄ）に接合部材２０を設ける場合、その接合部材２０の変形（高温時に膨張し低温時に収縮）等に影響を受けることなく、励起光を表示フィルム１１２に導入して伝搬させることができる。したがって、蛍光発光ディスプレイ１００は、接合部材２０の形状の変化に寄らず、表示フィルム１１２に情報を十分に表示することができる。
【００６７】
また、蛍光発光ディスプレイ１００は、励起光を表示フィルム１１２に導入して伝搬させる光学部材（プリズムに加えて、例えば光ファイバまたはコリメータレンズ等）を、表示フィルム１１２の端面に隣接させていない。したがって、蛍光発光ディスプレイ１００は、表示フィルム１１２の端面（第１端面１１２ｃおよび第２端面１１２ｄ）に接合部材２０を充填して使用する場合、光学部材の交換や修理を行う際に、表示フィルム１１２から接合部材２０を除去する必要がない。そもそも、仮に光学部材を表示フィルム１１２の端面に隣接させた状態において接合部材２０を充填するような場合、光学部材の周囲を保護部材によって保護しておかなければ、接合部材２０によって光学部材を伝搬する励起光の光路が変わったり励起光が大きく減衰したりする。
【００６８】
なお、蛍光発光ディスプレイ１００は、情報を表示する緑色等の可視光よりも相対的に波長が長く光強度が小さい赤外光を励起光として用いると、表示フィルム１１２に入射するときの減衰や、表示フィルム１１２の内部を伝搬するときの減衰を、十分に抑制することができる。
【００６９】
蛍光発光ディスプレイ１００によれば、第１のプリズム１２４は、第１表示面１１２ａと交差するように延在し第１の励起光ＥＬ１１を表示面に向かって屈折させつつ伝搬させる入射面１２４ａを備えることが好ましい。さらに、蛍光発光ディスプレイ１００によれば、第２のプリズム１３４は、表示面と交差するように延在し第２の励起光ＥＬ１２を表示面に向かって屈折させつつ伝搬させる入射面１３４ａを備えることが好ましい。
【００７０】
かかる蛍光発光ディスプレイ１００によれば、プリズム（第１のプリズム１２４および第２のプリズム）の入射面を用いた簡便な構成によって、励起光（第１の励起光ＥＬ１１および第２の励起光ＥＬ１２）を第１表示面１１２ａから表示フィルム１１２に導入することができる。表示フィルム１１２に導入された励起光は、第１表示面１１２ａと第２表示面１１２ｂとの間を交互に反射しつつ十分に伝搬する。
【００７１】
また、蛍光発光ディスプレイ１００は、プリズムの入射面のＺ方向に対する長さを十分に長くすれば、表示フィルム１１２の端面のＺ方向に沿った縦幅よりも大きなスポット径を有する励起光を、入射面を介して表示フィルム１１２に導入することができる。
【００７２】
蛍光発光ディスプレイ１００によれば、第１の光源１２１と第１のプリズム１２４との間に第１のコリメータレンズ１２３を有することが好ましい。さらに、蛍光発光ディスプレイ１００によれば、第２の光源１３１と第２のプリズム１３４との間に第２のコリメータレンズ１３３を有することが好ましい。
【００７３】
かかる蛍光発光ディスプレイ１００によれば、表示フィルム１１２を伝搬する励起光（第１の励起光ＥＬ１１および第２の励起光ＥＬ１２）のビーム形状が一定になることから、表示フィルム１１２における表示画素の大きさを、励起光の伝搬方向に沿って一定にすることができる。したがって、蛍光発光ディスプレイは、表示フィルム１１２における表示画素の大きさを、表示フィルム１１２の位置に依存することなく均一にすることができる。
【００７４】
蛍光発光ディスプレイ１００によれば、第１のプリズム１２４は、表示フィルム１１２と屈折率が同一であることが好ましい。さらに、蛍光発光ディスプレイ１００によれば、第２のプリズム１３４は、表示フィルム１１２と屈折率が同一であることが好ましい。
【００７５】
かかる蛍光発光ディスプレイ１００によれば、プリズム（第１のプリズム１２４および第２のプリズム１３４）と表示フィルム１１２との界面における、励起光（第１の励起光ＥＬ１１および第２の励起光ＥＬ１２）の反射ロスを最小限に抑えることができる。したがって、蛍光発光ディスプレイ１００は、励起光を表示フィルム１１２の内部に十分に伝搬させることができる。
【００７６】
蛍光発光ディスプレイ１００によれば、第１の励起光ＥＬ１１は、表示フィルム１１２の内部を反射して伝搬し、第１のプリズム１２４は、反射して伝搬する第１の励起光ＥＬ１１の光路Ｋ１から離間した部分Ｂ１の第１表示面１１２ａに当接している事が好ましい。さらに、蛍光発光ディスプレイ１００によれば、第２の励起光ＥＬ１２は、表示フィルム１１２の内部を反射して伝搬し、第２のプリズム１３４は、反射して伝搬する第２の励起光ＥＬ１２の光路から離間した部分Ｂ１の第１表示面１１２ａに当接している事が好ましい。
【００７７】
かかる蛍光発光ディスプレイ１００によれば、表示フィルム１１２の内部で反射して伝搬する励起光（第１の励起光ＥＬ１１および第２の励起光ＥＬ１２）が、プリズム（第１のプリズム１２４および第２のプリズム１３４）に入射する（戻ってしまう）ことを防止できる。
【００７８】
蛍光発光ディスプレイ１００によれば、第１の光源１２１は、複数備え、第２の光源１３１は、複数備え、制御ユニット１４０は、表示フィルム１１２の特定の位置に対応する特定の第１の光源１２１および第２の光源１３１を制御する。
【００７９】
かかる蛍光発光ディスプレイ１００によれば、非常に簡便な構成によって、第１の励起光ＥＬ１１および第２の励起光ＥＬ１２を表示フィルム１１２の特定の位置において交差させつつ蛍光を発生させて情報を表示することができる。
【００８０】
蛍光発光ディスプレイ１００によれば、一例として、表示フィルム１１２を車両１０のフロントガラス１１に貼り付けて用いることができる。
【００８１】
かかる蛍光発光ディスプレイ１００によれば、車両１０の運転者が、車両１０の前方を十分に視認しながら、表示フィルム１１２に表示される様々な情報（図１中のＧ１、Ｇ２およびＧ３）を確認することができる。
【００８２】
第１実施形態では、蛍光発光ディスプレイ１００およびその制御方法について、第１の励起光ＥＬ１１を第１のプリズム１２４を介して第１表示面１１２ａから表示フィルム１１２に導入し、かつ、第２の励起光ＥＬ１２を第２のプリズム１３４を介して第１表示面１１２ａから表示フィルム１１２に導入する構成として説明したが、このような構成に限定されることはない。蛍光発光ディスプレイ１００は、少なくとも、第１の励起光ＥＬ１１を第１のプリズム１２４を介して第１表示面１１２ａから表示フィルム１１２に導入する構成として、表示フィルム１１２の第１端面１１２ｃに隣接して接合部材２０を設けてもよい。
【００８３】
（第１実施形態の変形例１）
図５は、第１実施形態の変形例１に係る蛍光発光ディスプレイの要部を模式的に示す側面図である。
【００８４】
第１実施形態の変形例１に係る蛍光発光ディスプレイは、表示フィルム１１２から励起光が漏れ出さないように、表示フィルム１１２に透明な被覆部材２１１を貼り付けた点において、上述した第１実施形態に係る蛍光発光ディスプレイ１００と相違する。
【００８５】
第１実施形態の変形例１に係る蛍光発光ディスプレイでは、上述した第１実施形態の構成とは異なる表示ユニット２１０の構成について説明する。
【００８６】
図５を参照して、表示ユニット２１０において、被覆部材２１１は、表示フィルム１１２よりも薄いフィルム状に形成している。被覆部材２１１は、可視光（紫色〜赤色）の全域において透明な材質から構成している。被覆部材２１１は、第１の励起光ＥＬ１１および第２の励起光ＥＬ１２の波長の光において表示フィルム１１２よりも屈折率が小さい材質から構成している。被覆部材２１１は、例えば一対からなり、表示フィルム１１２の両面に対して密着させるようにして接着している。
【００８７】
被覆部材２１１は、第１光源ユニット１２０の第１のプリズム１２４に当接されていない。すなわち、第１のプリズム１２４は、被覆部材２１１と干渉することなく、表示フィルム１１２に当接している。被覆部材２１１は、第１の励起光ＥＬ１１における第１のプリズム１２４から表示フィルム１１２に入射するまでの光路Ｋ２から離間した部分Ｂ２の表示フィルム１１２に当接している。このように構成することによって、第１の励起光ＥＬ１１は、第１のプリズム１２４から表示フィルム１１２に入射した後に、表示フィルム１１２の内部を反射しながら伝搬することができる。
【００８８】
被覆部材２１１は、第１光源ユニット１２０の第１のプリズム１２４と同様に、第２光源ユニット１３０の第２のプリズム１３４に当接されていない。
【００８９】
表示フィルム１１２と被覆部材２１１は、いわゆる光ファイバのコアとクラッド（コアよりも屈折率が小さい）の関係に対応している。すなわち、第１の励起光ＥＬ１１および第２の励起光ＥＬ１２は、表示フィルム１１２の第１表示面１１２ａと被覆部材２１１との界面、および表示フィルム１１２の第２表示面１１２ｂと被覆部材２１１との界面で反射しつつ、表示フィルム１１２の内部を伝搬する。
【００９０】
以上説明した第１実施形態の変形例１の作用効果を説明する。
【００９１】
蛍光発光ディスプレイは、被覆部材２１１を有する。被覆部材２１１は、第１の励起光ＥＬ１１における第１のプリズム１２４から表示フィルム１１２に入射するまでの光路Ｋ２、および第２の励起光ＥＬ１２における第２のプリズム１３４から表示フィルム１１２に入射するまでの光路から離間した部分Ｂ２の第１表示面１１２ａに当接する。被覆部材２１１は、第１の励起光ＥＬ１１および第２の励起光ＥＬ１２の波長の光において表示フィルム１１２よりも屈折率が小さい。
【００９２】
かかる蛍光発光ディスプレイによれば、表示フィルム１１２の内部を伝搬する第１の励起光ＥＬ１１および第２の励起光ＥＬ１２が、表示フィルム１１２と被覆部材２１１との界面で反射することによって、表示フィルム１１２から外部に出射することを防止できる。したがって、蛍光発光ディスプレイは、表示フィルム１１２において適切に情報を表示させることができる。すなわち、被覆部材２１１は、表示フィルム１１２の任意の面に当接させることによって、その面から第１の励起光ＥＬ１１および第２の励起光ＥＬ１２が外部に出射してしまうことを防止する部材として用いることができる。
【００９３】
ここで、蛍光発光ディスプレイは、表示フィルム１１２の片面に被覆部材２１１を備えている場合、フロントガラス１１の側に被覆部材２１１が対向するようにして、例えばフロントガラス１１に貼り付けて用いる。このように構成すれば、表示フィルム１１２の内部を伝搬する第１の励起光ＥＬ１１および第２の励起光ＥＬ１２は、表示フィルム１１２からフロントガラス１１に入射することなく、表示フィルム１１２と被覆部材２１１との界面で反射して、表示フィルム１１２の内部を伝搬し続ける。したがって、蛍光発光ディスプレイは、フロントガラス１１に阻害されることなく、表示フィルム１１２において適切に情報を表示させることができる。
【００９４】
また、蛍光発光ディスプレイが、表示フィルム１１２の両面に被覆部材２１１を備えている場合、フロントガラス１１の側に加えて、車両１０の室内の側にも被覆部材２１１を対向させて用いることができる。このように構成すれば、表示フィルム１１２を伝搬する第１の励起光ＥＬ１１および第２の励起光ＥＬ１２が、車両１０の室内の側に位置する被覆部材２１１に付着した水滴や油膜に入射することなく、表示フィルム１１２と被覆部材２１１との界面で反射して、表示フィルム１１２の内部を伝搬し続ける。したがって、蛍光発光ディスプレイは、車両１０の室内の側から付着した水滴や油膜に阻害されることなく、表示フィルム１１２において適切に情報を表示させることができる。
【００９５】
（第１実施形態の変形例２）
図６は、第１実施形態の変形例２に係る蛍光発光ディスプレイの要部を模式的に示す斜視図である。
【００９６】
第１実施形態の変形例２に係る蛍光発光ディスプレイは、情報をフルカラー表示する点において、上述した第１実施形態およびその変形例１に係る蛍光発光ディスプレイと相違する。
【００９７】
第１実施形態の変形例２に係る蛍光発光ディスプレイは、情報をフルカラー表示するための構成を具現化させた「一の形態」である。
【００９８】
蛍光発光ディスプレイにおいて、表示フィルム１１２は、蛍光（緑色）とは波長が異なる他の蛍光（赤色および青色）を発する１つ以上の他の発光体（蛍光体微粒子３１１および蛍光体微粒子３１２の２つ）を、さらに分散させて保持している。
【００９９】
この蛍光発光ディスプレイでは、蛍光体微粒子１１１（緑色の蛍光を発する）と蛍光体微粒子３１１（赤色の蛍光を発する）および蛍光体微粒子３１２（青色の蛍光を発する）とによって、赤色、緑色および青色の波長の光の蛍光を発する。
【０１００】
第１実施形態の変形例２に係る蛍光発光ディスプレイについては、上述した第１実施形態およびその変形例１の構成とは異なる表示ユニット３１０、第１光源ユニット３２０および第２光源ユニット３３０の構成について説明する。
【０１０１】
図６を参照して、表示ユニット３１０において、表示フィルム１１２は、蛍光体微粒子１１１に加えて、蛍光体微粒子３１１および蛍光体微粒子３１２を均一かつ密に分散させて保持している。
【０１０２】
表２に、蛍光体微粒子１１１に加えて蛍光体微粒子３１１および蛍光体微粒子３１２の光学特性を示す。
【０１０３】
【表２】
0006717050.tif 000003
【０１０４】
蛍光体微粒子３１１は、母材のＮａＹＦ４に対して発光材のプラセオジウム（Ｐｒ）をドープして構成している。蛍光体微粒子３１１は、第３の励起光ＥＬ２１（赤外光である波長１０１４ｎｍの光）と第４の励起光ＥＬ２２（赤外光である波長８４０ｎｍの光）によって励起されると、Ｐｒ３＋イオンのエネルギー準位からの遷移に伴い、可視光である赤色の第２の蛍光ＲＬ２を発する。蛍光体微粒子３１１は、第３の励起光ＥＬ２１または第４の励起光ＥＬ２２のみでは蛍光を発しない。
【０１０５】
蛍光体微粒子３１２は、母材のＮａＹＦ４に対して発光材のツリウム（Ｔｍ）をドープして構成している。蛍光体微粒子３１２は、第５の励起光ＥＬ３１（赤外光である波長８００ｎｍの光）と第６の励起光ＥＬ３２（赤外光である波長１１２０ｎｍの光）によって励起されると、Ｔｍ３＋イオンのエネルギー準位からの遷移に伴い、可視光である青色の第３の蛍光ＲＬ３を発する。蛍光体微粒子３１２は、第５の励起光ＥＬ３１または第６の励起光ＥＬ３２のみでは蛍光を発しない。
【０１０６】
図６を参照して、第１光源ユニット３２０は、上述した第１光源ユニット１２０の構成に加えて、第３の光源３２１と第５の光源３２３等を含んでいる。
【０１０７】
第３の光源３２１は、第３の励起光ＥＬ２１を発する。第３の光源３２１は、発振波長に係る光学素子の仕様を除き、第１の光源１２１と同様の構成からなる。第３の光源３２１は、第３の励起光ＥＬ２１を、その波長に適した配光用光ファイバ３２２に伝搬する。
【０１０８】
第５の光源３２３は、第５の励起光ＥＬ３１を発する。第５の光源３２３は、発振波長に係る光学素子の仕様を除き、第１の光源１２１と同様の構成からなる。第５の光源３２３は、第５の励起光ＥＬ３１を、その波長に適した配光用光ファイバ３２４に伝搬する。
【０１０９】
第１の光源１２１、第３の光源３２１および第５の光源３２３の発光のタイミングは、制御ユニット１４０によって制御する。
【０１１０】
合波器３２５は、例えば、配光用光ファイバ２２１、配光用光ファイバ３２２および配光用光ファイバ３２４の各々の出射部分を加熱して溶融しつつ延伸して構成している。合波器３２５は、配光用光ファイバ２２１、配光用光ファイバ３２２および配光用光ファイバ３２４から出射された各々の励起光（第１の励起光ＥＬ１１、第３の励起光ＥＬ２１および第５の励起光ＥＬ３１）を合波する。
【０１１１】
中継用光ファイバ３２６は、合波器３２５によって合波された各々の励起光を配光器３２７に伝搬する。中継用光ファイバ３２６は、各々の励起光に対応している。
【０１１２】
配光器３２７は、中継用光ファイバ３２６から伝搬された各々の励起光を分岐しつつ、複数の第１の光ファイバ３２８に対して選択的に伝搬する。配光器３２７は、制御ユニット１４０の制御に基づき、複数の第１の光ファイバ３２８に対して独立して第１の励起光ＥＬ１１、第３の励起光ＥＬ２１および第５の励起光ＥＬ３１を伝搬する。
【０１１３】
配光器３２７は、例えば、いわゆるメムス（Ｍｉｃｒｏ  Ｅｌｅｃｔｒｏｎｉｃ  Ｍｅｃｈａｎｉｃａｌ  Ｓｙｓｔｅｍｓ：ＭＥＭＳ）から構成する。配光器３２７は、微小なミラーを備え、中継用光ファイバ３２６から出射された第１の励起光ＥＬ１１、第３の励起光ＥＬ２１および第５の励起光ＥＬ３１を、複数の第１の光ファイバ３２８に対して選択的に伝搬する。
【０１１４】
配光器３２７は、中継用光ファイバ３２６から出射した第１の励起光ＥＬ１１、第３の励起光ＥＬ２１および第５の励起光ＥＬ３１を、いわゆる導波路によって複数回にわたって枝分かれさせつつ、複数の第１の光ファイバ３２８に対して同時に伝搬させるように構成してもよい。この場合、配光器３２７は、複数の第１の光ファイバ３２８の各々に対してそれぞれ光学的なシャッタを設けて、第１の励起光ＥＬ１１、第３の励起光ＥＬ２１および第５の励起光ＥＬ３１を選択的に通過させる。シャッタは、例えば、光スイッチとして機能する液晶素子から構成する。
【０１１５】
複数の第１の光ファイバ３２８から出射された第１の励起光ＥＬ１１、第３の励起光ＥＬ２１および第５の励起光ＥＬ３１は、対応する各々の第１のコリメータレンズ１２３を介して第１のプリズム１２４に入射する。
【０１１６】
図６を参照して、第２光源ユニット３３０は、上述した第２光源ユニット１３０に加えて、第４の光源３３１と第６の光源３３３等を含んでいる。
【０１１７】
第４の光源３３１は、第４の励起光ＥＬ２２を発する。第４の光源３３１は、発振波長に係る光学素子の仕様を除き、第２の光源１３１と同様の構成からなる。第４の光源３３１は、第４の励起光ＥＬ２２を配光用光ファイバ３３２に伝搬する。
【０１１８】
第６の光源３３３は、第６の励起光ＥＬ３２を発する。第６の光源３３３は、発振波長に係る光学素子の仕様を除き、第２の光源１３１と同様の構成からなる。第６の光源３３３は、第６の励起光ＥＬ３２を配光用光ファイバ３３４に伝搬する。
【０１１９】
第２の光源１３１、第４の光源３３１および第６の光源３３３の発光のタイミングは、制御ユニット１４０によって制御する。
【０１２０】
合波器３３５は、例えば、配光用光ファイバ２３１、配光用光ファイバ３３２および配光用光ファイバ３３４の各々の出射部分を加熱して溶融しつつ延伸して構成している。合波器３３５は、配光用光ファイバ２３１、配光用光ファイバ３３２および配光用光ファイバ３３４から出射された各々の励起光（第２の励起光ＥＬ１２、第４の励起光ＥＬ２２および第６の励起光ＥＬ３２）を合波する。
【０１２１】
中継用光ファイバ３３６は、合波器３３５によって合波された各々の励起光を配光器３３７に伝搬する。中継用光ファイバ３３６は、各々の励起光に対応している。
【０１２２】
配光器３３７は、中継用光ファイバ３３６から伝搬された各々の励起光を分岐しつつ、複数の第２の光ファイバ３３８に対して選択的に伝搬する。配光器３３７は、上述した配光器３２７と同様の仕様であるが、各々の励起光に対応した構成からなる。複数の第２の光ファイバ３３８は、第２の励起光ＥＬ１２、第４の励起光ＥＬ２２および第６の励起光ＥＬ３２を、それぞれ第２のコリメータレンズ１３３に向かって伝搬させる。
【０１２３】
以上説明した第１実施形態の変形例２の作用効果を説明する。
【０１２４】
蛍光発光ディスプレイにおいて、表示フィルム１１２は、蛍光（緑色）とは波長が異なる他の蛍光（赤色および青色）を発する１つ以上の他の発光体（蛍光体微粒子３１１および蛍光体微粒子３１２の２つ）をさらに分散させて保持する。蛍光体微粒子１１１（緑色の蛍光を発する）と蛍光体微粒子３１１（赤色の蛍光を発する）および蛍光体微粒子３１２（青色の蛍光を発する）とによって、赤色、緑色および青色の波長の光の蛍光を発する。
【０１２５】
かかる蛍光発光ディスプレイによれば、表示フィルム１１２に表示させる情報を、赤色、緑色および青色の３色を混色することによって、紫から赤色に至るいわゆるフルカラーによって表すことができる。
【０１２６】
蛍光発光ディスプレイによれば、合波器３２５を有することが好ましい。合波器３２５は、第１の励起光ＥＬ１１、第３の励起光ＥＬ２１および第５の励起光ＥＬ３１を合波して（中継用光ファイバ３２６、配光器３２７、第１の光ファイバ３２８および第１のコリメータレンズ１２３を介して）第１のプリズム１２４に入射させる。
【０１２７】
かかる蛍光発光ディスプレイによれば、３種類の波長の励起光を独立して伝搬する場合と比較して、３種類の波長の励起光を密に伝搬させることができる。すなわち、赤色、緑色および青色を互いに独立して伝搬する場合と比較して、赤色、緑色および青色の光を合波して伝搬した方が、１画素の大きさを小さくすることができる。したがって、アップコンバージョン蛍光発光ディスプレイは、表示フィルム１１２の解像度をさらに向上させることができる。
【０１２８】
ここで、蛍光発光ディスプレイは、第２の励起光ＥＬ１２、第４の励起光ＥＬ２２および第６の励起光ＥＬ３２を合波して（中継用光ファイバ３３６、配光器３３７、第２の光ファイバ３３８および第２のコリメータレンズ１３３を介して）第２のプリズムに入射する合波器３３５を有している。したがって、蛍光発光ディスプレイは、合波器３３５においても、上述した合波器３２５と同様の作用効果を奏する。
【０１２９】
（第１実施形態の変形例３）
図７は、第１実施形態の変形例３に係る蛍光発光ディスプレイの要部を模式的に示す斜視図である。
【０１３０】
第１実施形態の変形例３に係る蛍光発光ディスプレイは、より少ない蛍光体微粒子と光源の組み合わせによって情報をフルカラー表示する点において、上述した第１実施形態の変形例２に係る蛍光発光ディスプレイと相違する。すなわち、第１実施形態の変形例３では、２種類の蛍光体微粒子と４種類の光源を用いる。上述した第１実施形態の変形例２では、３種類の蛍光体微粒子と６種類の光源を用いていた。
【０１３１】
第１実施形態の変形例３に係る蛍光発光ディスプレイは、情報をフルカラー表示するための構成を具現化させた「他の形態」である。
【０１３２】
蛍光発光ディスプレイにおいて、表示フィルム１１２は、蛍光（緑色）とは波長が異なる他の蛍光（青色）を発する１つ以上の他の発光体（蛍光体微粒子３１２の１つ）をさらに分散させて保持している。
【０１３３】
この蛍光発光ディスプレイでは、蛍光体微粒子１１１（赤色および緑色の蛍光を発する）と蛍光体微粒子３１２（青色の蛍光を発する）とによって、赤色、緑色および青色の波長の光の蛍光を発する。
【０１３４】
第１実施形態の変形例３に係る蛍光発光ディスプレイでは、上述した第１実施形態およびその変形例１と２の構成とは異なる表示ユニット４１０、第１光源ユニット４２０および第２光源ユニット４３０の構成について説明する。
【０１３５】
図７を参照して、表示ユニット４１０において、表示フィルム１１２は、蛍光体微粒子１１１に加えて、蛍光体微粒子３１２を均一かつ密に分散させて保持している。
【０１３６】
表３に、蛍光体微粒子１１１および蛍光体微粒子３１２の光学特性を示す。
【０１３７】
【表３】
0006717050.tif 000004
【０１３８】
上述した蛍光体微粒子１１１は、それぞれ第１の励起光ＥＬ１１（赤外光である波長１５５０ｎｍの光）と第７の励起光ＥＬ４２（赤外光である波長１１２０ｎｍの光）によって励起されると、Ｅｒ３＋イオンのエネルギー準位からの遷移に伴い、可視光である赤色の波長の光に相当する第４の蛍光ＲＬ４を発する。蛍光体微粒子１１１は、第１の励起光ＥＬ１１または第７の励起光ＥＬ４２のみでは蛍光を発しない。
【０１３９】
上述した蛍光体微粒子３１２は、第８の励起光ＥＬ５１（赤外光である波長８００ｎｍの光）と第７の励起光ＥＬ４２によって励起されると、Ｔｍ３＋イオンのエネルギー準位からの遷移に伴い、可視光である青色の第５の蛍光ＲＬ５を発する。蛍光体微粒子３１２は、第８の励起光ＥＬ５１または第７の励起光ＥＬ４２のみでは蛍光を発しない。
【０１４０】
図７を参照して、第１光源ユニット４２０は、上述した第１光源ユニット１２０の構成に加えて、第８の光源４２１等を含んでいる。
【０１４１】
第８の光源４２１は、上述した第８の励起光ＥＬ５１を発する。第８の光源４２１は、発振波長に係る光学素子の仕様を除き、第１の光源１２１と同様の構成からなる。第８の光源４２１は、第８の励起光ＥＬ５１を、その波長に適した配光用光ファイバ４２２に伝搬する。
【０１４２】
第１の光源１２１および第８の光源４２１の発光のタイミングは、制御ユニット１４０によって制御する。
【０１４３】
合波器４２３は、例えば、配光用光ファイバ２２１および配光用光ファイバ４２２の各々の出射部分を加熱して溶融しつつ延伸して構成している。合波器４２３は、配光用光ファイバ２２１および配光用光ファイバ４２２から出射された各々の励起光（第１の励起光ＥＬ１１および第８の励起光ＥＬ５１）を合波する。
【０１４４】
中継用光ファイバ４２４は、合波器４２３によって合波された各々の励起光を配光器４２５に伝搬する。中継用光ファイバ４２４は、各々の励起光に対応している。
【０１４５】
配光器４２５は、中継用光ファイバ４２４から伝搬された各々の励起光を分岐しつつ、複数の第１の光ファイバ４２６に対して選択的に伝搬する。配光器４２５は、上述した配光器３２７と同様の仕様であるが、各々の励起光に対応した構成からなる。複数の第１の光ファイバ４２６は、第１の励起光ＥＬ１１および第８の励起光ＥＬ５１を、それぞれ第１のコリメータレンズ１２３に向かって伝搬させる。
【０１４６】
図７を参照して、第２光源ユニット４３０は、上述した第２光源ユニット１３０の構成に加えて、第７の光源４３１等を含んでいる。
【０１４７】
第７の光源４３１は、上述した第７の励起光ＥＬ４２を発する。第７の光源４３１は、発振波長に係る光学素子の仕様を除き、第２の光源１３１と同様の構成からなる。第７の光源４３１は、第７の励起光ＥＬ４２を、その波長に適した配光用光ファイバ４３２に伝搬する。
【０１４８】
第２の光源１３１および第７の光源４３１の発光のタイミングは、制御ユニット１４０によって制御する。
【０１４９】
合波器４３３は、例えば、配光用光ファイバ２３１および配光用光ファイバ４３２の各々の出射部分を加熱して溶融しつつ延伸して構成している。合波器４３３は、配光用光ファイバ２３１および配光用光ファイバ４３２から出射された各々の励起光（第２の励起光ＥＬ１２および第７の励起光ＥＬ４２）を合波する。
【０１５０】
中継用光ファイバ４３４は、合波器４３３によって合波された各々の励起光を配光器４３５に伝搬する。中継用光ファイバ４３４は、各々の励起光に対応している。
【０１５１】
配光器４３５は、中継用光ファイバ４３４から伝搬された各々の励起光を分岐しつつ、複数の第２の光ファイバ４３６に対して選択的に伝搬する。配光器４３５は、上述した配光器３３７と同様の仕様であるが、各々の励起光に対応した構成からなる。複数の第２の光ファイバ４３６は、第２の励起光ＥＬ１２および第７の励起光ＥＬ４２を、それぞれ第２のコリメータレンズ１３３に向かって伝搬させる。
【０１５２】
以上説明した第１実施形態の変形例３の作用効果を説明する。
【０１５３】
蛍光発光ディスプレイにおいて、表示フィルム１１２は、蛍光（緑色）とは波長が異なる他の蛍光（青色）を発する１つ以上の他の発光体（蛍光体微粒子３１２の１つ）をさらに分散させて保持している。蛍光体微粒子１１１（赤色および緑色の蛍光を発する）と蛍光体微粒子３１２（青色の蛍光を発する）とによって、赤色、緑色および青色の波長の光の蛍光を発する。
【０１５４】
かかる蛍光発光ディスプレイによれば、２種類の蛍光体微粒子と４種類の光源を用いた場合においても、表示フィルム１１２に表示させる情報を、赤色、緑色および青色の３色を混色することによって、紫から赤色に至るいわゆるフルカラーによって表すことができる。
【０１５５】
（第２実施形態）
図８は、第２実施形態の蛍光発光ディスプレイの要部を示す側面図である。図８では、蛍光体微粒子１１１の図示を省略している。
【０１５６】
第２実施形態に係る蛍光発光ディスプレイは、例えば、第１のシリンドリカルレンズ５２６によってビーム形状を縮小した第１の励起光ＥＬ１１を第１のプリズム１２４を介して表示フィルム５１２（表示フィルム１１２よりも薄い）に導入する点において、上述した第２実施形態に係る蛍光発光ディスプレイと相違する。
【０１５７】
第２実施形態に係る蛍光発光ディスプレイでは、上述した第１実施形態の構成とは異なる表示ユニット５１０および光源ユニット（特に第１光源ユニット５２０）の構成について説明する。
【０１５８】
表示ユニット５１０において、表示フィルム５１２は、表示フィルム１１２と比較して、Ｚ方向に沿った厚みを薄く形成している。すなわち、表示フィルム５１２の第１端面５１２ｃは、表示フィルム１１２の第１端面１１２ｃよりも縦方向（Ｚ方向）の長さが短い。表示フィルム５１２は、厚みを除いて、表示フィルム１１２と同様の構成からなる。
【０１５９】
第１光源ユニット５２０は、第１のシリンドリカルレンズ５２６を備えていることを除いて、第１光源ユニット１２０と同様の構成からなる。第１のシリンドリカルレンズ５２６は、図８に示すように、第１のコリメータレンズ１２３と第１のプリズム１２４の入射面１２４ａとの間に配置している。第１のシリンドリカルレンズ５２６は、Ｙ方向に沿って延在した凸状の入射面５２６ａを第１のコリメータレンズ１２３に対向させている。第１のシリンドリカルレンズ５２６は、Ｙ方向に沿って延在した平面状の出射面５２６ｂを第１のプリズム１２４の入射面１２４ａに対向させている。第１のシリンドリカルレンズ５２６は、第１の励起光ＥＬ１１を表示フィルム５１２の厚み方向である上下（Ｚ方向）に対して集光するようにして縮小させる。第２光源ユニットのシリンドリカルレンズは、第１光源ユニット５２０の第１のシリンドリカルレンズ５２６と同様の構成からなる。
【０１６０】
以上説明した第２実施形態の作用効果を説明する。
【０１６１】
蛍光発光ディスプレイにおいて、第１の光源１２１と第１のプリズム１２４との間に第１のシリンドリカルレンズ５２６を有する。さらに、蛍光発光ディスプレイにおいて、第２の光源１３１と第２のプリズム１３４との間に第２のシリンドリカルレンズを有する。
【０１６２】
かかる蛍光発光ディスプレイによれば、シリンドリカルレンズ（第１のシリンドリカルレンズ５２６および第２のシリンドリカルレンズ）によって、励起光（第１の励起光ＥＬ１１および第２の励起光ＥＬ１２）の形状が表示フィルム５１２の厚み方向である上下（Ｚ方向）に対して縮小する。したがって、蛍光発光ディスプレイは、励起光を相対的に厚みの薄い表示フィルム５１２に対して導入させることができる。
【０１６３】
ここで、第１光源ユニット５２０の第１のシリンドリカルレンズ５２６は、第１の励起光ＥＬ１１を表示フィルム５１２の横幅（Ｙ方向）に対して縮小しない。同様に、第２光源ユニットの第２のシリンドリカルレンズは、第２の励起光ＥＬ１２を表示フィルム５１２の横幅（Ｘ方向）に対して縮小しない。したがって、蛍光発光ディスプレイは、励起光を表示フィルム５１２の厚み方向である上下（Ｚ方向）に沿って縮小しつつ、表示フィルム５１２上における表示画素を均一に維持することができる。
【０１６４】
また、蛍光発光ディスプレイは、シリンドリカルレンズ（第１のシリンドリカルレンズ５２６および第２のシリンドリカルレンズ）によって、励起光が表示フィルム５１２の厚み方向に沿って縮小することから、励起光のエネルギー密度が増加して、表示フィルム５１２における第１の蛍光ＲＬ１の輝度が高くなる。したがって、蛍光発光ディスプレイは、第１の蛍光ＲＬ１によって表示する情報の視認性を向上させることができる。
【０１６５】
また、蛍光発光ディスプレイは、相対的に薄い表示フィルム５１２を用いることができることから、表示フィルム５１２の透過率が向上する。したがって、蛍光発光ディスプレイは、表示フィルム５１２越しに前方を視認し易くすることができる。
【０１６６】
また、蛍光発光ディスプレイは、相対的に薄い表示フィルム５１２を用いることができることから、表示フィルム５１２を湾曲させて使用することが容易になる。したがって、蛍光発光ディスプレイは、汎用性を高めることができる。例えば、表示フィルム５１２は、湾曲したフロントガラス１１に対して容易に貼り付けることができる。
【０１６７】
（第２実施形態の変形例）
図９は、第２実施形態の変形例の蛍光発光ディスプレイの要部を示す側面図である。図９では、蛍光体微粒子１１１の図示を省略している。
【０１６８】
第２実施形態の変形例に係る蛍光発光ディスプレイは、例えば、第１の励起光ＥＬ１１を第１のプリズム６２４によって縮小して表示フィルム５１２（表示フィルム１１２よりも薄い）に導入する点において、上述した第２実施形態に係る蛍光発光ディスプレイと相違する。
【０１６９】
第２実施形態の変形例に係る蛍光発光ディスプレイでは、上述した第２実施形態の構成とは異なる光源ユニット（特に第１光源ユニット６２０）の構成について説明する。
【０１７０】
第１光源ユニット６２０は、第１のプリズム６２４を除いて、第１光源ユニット１２０と同様の構成からなる。第１のプリズム６２４は、図９に示すように、その入射面６２４ａが、Ｙ方向に沿って延在した凸状のシリンドリカル面からなる。第１のプリズム６２４は、第１実施形態の第１のプリズム１２４の入射面１２４ａの側に、第２実施形態の第１のシリンドリカルレンズ５２６の一部（Ｚ方向に沿った上部）を合体させた構成に相当する。第１のプリズム６２４は、入射面６２４ａの形状を除いて、第１のプリズム１２４と同様の構成からなる。
【０１７１】
第１のプリズム６２４の入射面６２４ａは、第１の励起光ＥＬ１１を表示フィルム５１２の厚み方向である上下（Ｚ方向）に対して集光するようにして縮小させて、その第１の励起光ＥＬ１１を出射面６２４ｂから表示フィルム５１２の第１表示面５１２ａに導入する。第２光源ユニットの第２のプリズムは、第１光源ユニット６２０の第１のプリズム６２４と同様の構成からなる。
【０１７２】
以上説明した第２実施形態の変形例の作用効果を説明する。
【０１７３】
蛍光発光ディスプレイにおいて、第１のプリズム６２４の入射面６２４ａは、凸状のシリンドリカル面からなる。さらに、蛍光発光ディスプレイにおいて、第２のプリズムの入射面は、凸状のシリンドリカル面からなる。
【０１７４】
かかる蛍光発光ディスプレイによれば、プリズムの入射面（第１のプリズム６２４の入射面６２４ａおよび第２のプリズムの入射面）によって、励起光（第１の励起光ＥＬ１１および第２の励起光ＥＬ１２）の形状が表示フィルム５１２の厚み方向である上下（Ｚ方向）に沿って縮小する。したがって、蛍光発光ディスプレイは、励起光を相対的に厚みの薄い表示フィルム５１２に対して導入させることができる。
【０１７５】
ここで、プリズムは、第２実施形態のシリンドリカルレンズと同様に、励起光を表示フィルム５１２の横幅（Ｙ方向およびＸ方向）に対して縮小しないことから、表示フィルム５１２上における表示画素の大きさを均一に維持することができる。
【０１７６】
また、蛍光発光ディスプレイは、プリズムの入射面を凸状のシリンドリカル面から構成することによって、部品点数を増加させることなく、励起光を表示フィルム５１２の厚み方向に沿って縮小することができる。すなわち、蛍光発光ディスプレイは、製造コストを増大させることなく、励起光を縮小することができる。
【０１７７】
また、プリズムは、第２実施形態のシリンドリカルレンズと同様に、励起光を縮小して励起光のエネルギー密度を増加させることによって、表示フィルム５１２における第１の蛍光ＲＬ１の輝度を高めて、表示する情報の視認性を向上させることができる。また、プリズムは、第２実施形態のシリンドリカルレンズと同様に、相対的に薄い表示フィルム５１２を用いることによって、表示フィルム５１２の透過率を向上させて、表示フィルム５１２越しに前方を視認し易くすることができる。また、プリズムは、第２実施形態のシリンドリカルレンズと同様に、相対的に薄い表示フィルム５１２を用いることによって、湾曲させ易くして、汎用性を高めることができる。
【０１７８】
（第３実施形態）
図１０は、第３実施形態の蛍光発光ディスプレイの要部を示す側面図である。図１０では、蛍光体微粒子１１１の図示を省略している。
【０１７９】
第３実施形態に係る蛍光発光ディスプレイは、例えば、第１の励起光ＥＬ１１を第１のプリズム７２４によって反射して表示フィルム１１２に導入する点において、上述した第１および第２実施形態に係る蛍光発光ディスプレイと相違する。
【０１８０】
第３実施形態に係る蛍光発光ディスプレイでは、上述した第１および第２実施形態の構成とは異なる光源ユニット（特に第１光源ユニット７２０）の構成について説明する。
【０１８１】
第１のプリズム７２４は、図１０に示すように、第１の励起光ＥＬ１１を第１表示面１１２ａから表示フィルム１１２に導入し、その第１の励起光ＥＬ１１を第１表示面１１２ａに沿ってＸ方向に伝搬させるものである。第１のプリズム７２４は、図１０に示すように側面が四角形の一端（図中左下）が欠けた台形形状からなり、Ｙ方向に沿って延在する長方体によって形成している。
【０１８２】
第１のプリズム７２４は、上面に相当し第１表示面１１２ａに沿った平面状の入射面７２４ａと、上記の四角形の一端が欠けた部分に相当し外側が第１表示面１１２ａと交差するように傾斜した平面状の反射面７２４ｂと、下面に相当し表示フィルム１１２の第１表示面１１２ａに密着する平面状の出射面７２４ｃを備えている。
【０１８３】
第１のプリズム７２４は、表示フィルム１１２と同一の材料から構成している。第１のプリズム７２４は、反射面７２４ｂの外側の部分に反射膜７２４ｄをコーティングしている。反射膜７２４ｄは、金属の薄膜からなり、第１の励起光ＥＬ１１を反射する。
【０１８４】
第１のプリズム７２４は、その反射面７２４ｂが表示フィルム１１２の第１端面１１２ｃの上縁に沿って対向するように、第１表示面１１２ａに接合している。第１の光ファイバ１２２の出射部分および第１のコリメータレンズ１２３は、第１のプリズム７２４の入射面７２４ａに対向するように、Ｚ方向の上方から下方に向かって垂直に配置している。
【０１８５】
第１のプリズム７２４は、図１０に示すようにＺ方向の下方に沿って伝搬する第１の励起光ＥＬ１１を入射面７２４ａから入射させた後、反射面７２４ｂによってＺ方向の下方およびＸ方向に向かって反射させて伝搬させつつ、出射面７２４ｃから表示フィルム１１２の第１表示面１１２ａに対して導入（斜入射）する。第１の励起光ＥＬ１１は、表示フィルム１１２の第１表示面１１２ａと第２表示面１１２ｂとの間で交互に反射しつつ、第１表示面１１２ａに沿ってＸ方向に伝搬する。第２光源ユニットの第２のプリズムは、第１光源ユニット７２０の第１のプリズム７２４と同様の構成からなる。
【０１８６】
以上説明した第３実施形態の作用効果を説明する。
【０１８７】
蛍光発光ディスプレイは、第１のプリズム７２４が、第１表示面１１２ａと交差するように延在し第１の励起光ＥＬ１１を第１表示面１１２ａに向かって反射させつつ伝搬させる反射面７２４ｂを備えている。さらに、蛍光発光ディスプレイは、第２のプリズムが、第１表示面１１２ａと交差するように延在し第２の励起光ＥＬ１２を第１表示面１１２ａに向かって反射させつつ伝搬させる反射面を備えている。
【０１８８】
かかる蛍光発光ディスプレイによれば、プリズム（第１のプリズム７２４および第２のプリズム）の反射面を用いた簡便な構成によって、励起光（第１の励起光ＥＬ１１および第２の励起光ＥＬ１２）を第１表示面１１２ａから表示フィルム１１２に導入することができる。表示フィルム１１２に導入された励起光は、第１表示面１１２ａと第２表示面１１２ｂとの間を交互に反射しつつ十分に伝搬する。
【０１８９】
また、蛍光発光ディスプレイは、プリズムの反射面のＺ方向に対する長さを十分に長くすれば、表示フィルム１１２の端面のＺ方向に沿った縦幅よりも大きなスポット径を有する励起光を、反射面を介して表示フィルム１１２に導入することができる。
【０１９０】
また、蛍光発光ディスプレイは、プリズムの反射面によって励起光を反射させて伝搬させることから、例えば第１実施形態の変形例２や変形例３のように、波長が異なる複数の励起光を同一の反射面によって伝搬させることによって、色収差の影響を回避することができる。すなわち、蛍光発光ディスプレイは、複数の励起光を伝搬させるときに、各々の励起光が波長に依存して相対的に異なる形状に変化することを防止できる。
【０１９１】
また、蛍光発光ディスプレイは、プリズムの反射面が平面（曲率半径が無限大で規定される面）である場合、反射面に対する励起光の照射角度に寄らず、反射面で反射した励起光のビーム形状が拡大することがない。すなわち、蛍光発光ディスプレイは、反射面で反射して表示フィルム５１２に導入される励起光が、ビーム形状の拡大に伴う光の蹴られ等によって減少することを防止できる。
【０１９２】
（第４実施形態）
図１１は、第４実施形態の蛍光発光ディスプレイの要部を示す側面図である。図１１では、蛍光体微粒子１１１の図示を省略している。
【０１９３】
第４実施形態に係る蛍光発光ディスプレイは、例えば、第１の励起光ＥＬ１１を第１のプリズム８２４によって縮小しつつ反射して表示フィルム５１２（表示フィルム１１２よりも薄い）に導入する点において、上述した第３実施形態に係る蛍光発光ディスプレイと相違する。
【０１９４】
第４実施形態に係る蛍光発光ディスプレイでは、上述した第１〜第３実施形態の構成とは異なる光源ユニット（特に第１光源ユニット８２０）の構成について説明する。
【０１９５】
第１光源ユニット８２０は、第１のプリズム８２４を除いて、第１光源ユニット７２０と同様の構成からなる。第１のプリズム８２４は、図１１に示すように、その反射面８２４ｂが、Ｙ方向に沿って延在した凹状のシリンドリカル面からなる。第１のプリズム８２４は、反射面８２４ｂの形状を除いて、第１のプリズム７２４と同様の構成からなる。反射面８２４ｂは、入射面８２４ａから入射した第１の励起光ＥＬ１１を表示フィルム５１２の厚み方向である上下（Ｚ方向）に対して集光するようにして縮小させて、その第１の励起光ＥＬ１１を出射面８２４ｃから表示フィルム５１２の第１表示面５１２ａに導入する。第２光源ユニットの第２のプリズムは、第１光源ユニット８２０の第１のプリズム８２４と同様の構成からなる。
【０１９６】
以上説明した第４実施形態の作用効果を説明する。
【０１９７】
蛍光発光ディスプレイにおいて、第１のプリズム８２４の反射面８２４ｂは、凹状のシリンドリカル面からなる。さらに、蛍光発光ディスプレイにおいて、第２のプリズムの反射面は、凹状のシリンドリカル面からなる。
【０１９８】
かかる蛍光発光ディスプレイによれば、プリズム（第１のプリズム８２４および第２のプリズム）の凹状のシリンドリカル面からなる反射面によって、励起光（第１の励起光ＥＬ１１および第２の励起光ＥＬ１２）の形状が表示フィルム５１２の厚み方向である上下（Ｚ方向）に沿って縮小する。したがって、蛍光発光ディスプレイは、励起光を相対的に厚みの薄い表示フィルム５１２に対して導入させることができる。
【０１９９】
ここで、プリズムは、第１〜第３実施形態と同様に、励起光を表示フィルム５１２の横幅（Ｙ方向およびＸ方向）に対して縮小しないことから、表示フィルム５１２上における表示画素の大きさを均一に維持することができる。
【０２００】
また、反射面を備えたプリズムは、第３の実施形態と同様に、波長が異なる複数の励起光を同一の反射面によって伝搬させる場合であっても、色収差の影響を受けることがなく、各々の励起光が波長に依存して相対的に異なる形状に変化することを防止できる。
【０２０１】
また、プリズムの反射面を凹状のシリンドリカル面から構成したプリズムは、第２実施形態の変形例のプリズムと同様に、部品点数（製造コスト）を増加させることなく、励起光を縮小することができる。
【０２０２】
また、プリズムは、第２実施形態およびその変形例と同様に、励起光を縮小して励起光のエネルギー密度を増加させることによって、表示フィルム５１２における第１の蛍光ＲＬ１の輝度を高めて、表示する情報の視認性を向上させることができる。また、プリズムは、第２実施形態およびその変形例と同様に、相対的に薄い表示フィルム５１２を用いることによって、表示フィルム５１２の透過率を向上させて、表示フィルム５１２越しに前方を視認し易くすることができる。また、プリズムは、第２実施形態およびその変形例と同様に、相対的に薄い表示フィルム５１２を用いることによって、湾曲させ易くして、汎用性を高めることができる。
【０２０３】
そのほか、本発明は、特許請求の範囲に記載された構成に基づき様々な改変が可能であり、それらについても本発明の範疇である。
【０２０４】
例えば、実施形態において、蛍光発光ディスプレイは、光源から出射された励起光を、光ファイバ、コリメータレンズ等を介して、プリズムに伝搬させる構成として説明したが、このような構成に限定されることはない。例えば、蛍光発光ディスプレイは、光源から出射された励起光を直接的にプリズムに伝搬させる構成としてもよい。
【０２０５】
また、実施形態において、蛍光発光ディスプレイは、表示フィルムの第１表示面から入射させた励起光を、第１表示面と第２表示面との間で交互に反射させつつ伝搬させる構成として説明したが、このような構成に限定されることはない。例えば、蛍光発光ディスプレイは、表示フィルムの第１表示面から入射させた励起光を、第１表示面と第２表示面との間において１回も反射させずに伝搬させる構成としてもよい。このような構成は、励起光を表示フィルムの第１表示面から非常に小さい角度（例えば第１表示面に対する入射角度が１度程度）で入射させたり、表示面の厚み（Ｚ方向）を十分に厚くしたり、表示面のサイズ（Ｘ方向およびＹ方向）を十分に小さくしたりすることによって、具現化する。
【０２０６】
また、実施形態において、蛍光発光ディスプレイは、複数の第１の励起光と複数の第２の励起光を表示フィルムにおいて格子状に交差させて蛍光を発することによって様々な情報を面状（２次元）に表示する構成として説明したが、このような構成に限定されることはない。例えば、一の第１の励起光と複数の第２の励起光を表示フィルムにおいて交差させて蛍光を発することによって情報を線状（１次元）に表示する構成としてもよい。線状（１次元）で表示する情報は、例えば、バーの長短によって表す情報であって、車両の速度に比例するようにバーの長さを長くして表示する車両の速度の情報である。また、一の第１の励起光と一の第２の励起光を表示フィルムにおいて交差させて蛍光を発することによって情報を点状に表示する構成としてもよい。この場合、１画素の大きさを十分に大きく構成する。点状に表示する情報は、例えば、通常は消灯しておき、緊急時に点灯することによって、車両の乗員に対して歩行者の飛び出し等の危険を報知する情報である。
【０２０７】
また、実施形態において、蛍光発光ディスプレイは、車両１０に用いる表示装置として説明したが、このような構成に限定されることはない。例えば、蛍光発光ディスプレイは、いわゆるテレビとして様々な情報を表示したり、屋外に設置して交通や広告に関する情報を表示したりする構成としてもよい。
【０２０８】
また、実施形態において、蛍光発光ディスプレイをフロントガラス１１に貼り付けて用いる構成として説明したが、このような構成に限定されることはない。例えば、蛍光発光ディスプレイを車両１０のダッシュボードの運転席に対向する側面に貼り付けて用いる構成としてもよい。
【０２０９】
また、実施形態において、蛍光発光ディスプレイは、表示フィルムの片面（第１表示面）から情報を表示させる構成として説明したが、このような構成に限定されることはない。例えば、蛍光発光ディスプレイは、フロントガラス１１等に貼り付けることなく公共施設等に設置された台座に起立するようにして配置し、表示フィルムの両面（第１表示面および第２の表示面）から情報を表示させる構成としてもよい。情報は、例えば、太陽、雲および雨のマークによって表す天気予報である。
【符号の説明】
【０２１０】
１０      車両、
１１      フロントガラス、
１１ｃ    第１端面、
１１ｄ    第２端面、
２０      接合部材、
１００    蛍光発光ディスプレイ（表示装置）、
１１０，２１０，３１０，４１０，５１０  表示ユニット、
１１１    蛍光体微粒子（第１の発光体）、
１１２，５１２  表示フィルム（表示媒体）、
１１２ａ，５１２ａ  第１表示面（表示面）、
１１２ｂ，５１２ｂ  第２表示面（表示面）、
１１２ｃ，５１２ｃ  第１端面、
１１２ｄ  第２端面、
２１１    被覆部材、
３１１    蛍光体微粒子（第２の発光体）、
３１２    蛍光体微粒子（第３の発光体，第４の発光体）、
１２０，３２０，４２０，５２０，６２０，７２０，８２０  第１光源ユニット、
１２１    第１の光源、
１２２，３２８，４２６  第１の光ファイバ、
１２３    第１のコリメータレンズ、
１２４，６２４，７２４，８２４  第１のプリズム（第１の導入部材）、
１２４ａ，６２４ａ，７２４ａ，８２４ａ  入射面、
１２４ｂ，６２４ｂ，７２４ｃ，８２４ｃ  出射面、
７２４ｂ，８２４ｂ  反射面、
７２４ｄ，８２４ｄ  反射膜、
１２５    電線、
２２１，３２２，３２４，４２２  配光用光ファイバ、
３２１    第３の光源、
３２３    第５の光源、
３２５    合波器、
３２６，４２４  中継用光ファイバ、
３２７    配光器、
４２１    第８の光源、
４２３    合波器、
４２５    配光器、
５２６    第１のシリンドリカルレンズ、
５２６ａ  入射面、
５２６ｂ  出射面、
１３０，３３０，４３０  第２光源ユニット、
１３１    第２の光源、
１３２，３３８，４３６  第２の光ファイバ、
１３３    第２のコリメータレンズ、
１３４    第２のプリズム（第２の導入部材）、
１３４ａ  入射面、
１３４ｂ  出射面、
１３５    電線、
３３１    第４の光源、
２３１，３３２，３３４，４３２  配光用光ファイバ、
３３３    第６の光源、
３３５，４３３  合波器、
３３６，４３４  中継用光ファイバ、
３３７    配光器、
４３１    第７の光源、
４３５    配光器、
１４０    制御ユニット（制御部材）、
ＥＬ１１  第１の励起光（赤外光である波長１５５０ｎｍの光）、
ＥＬ１２  第２の励起光（赤外光である波長８５０ｎｍの光）、
ＥＬ２１  第３の励起光（赤外光である波長１０１４ｎｍの光）、
ＥＬ２２  第４の励起光（赤外光である波長８４０ｎｍの光）、
ＥＬ３１  第５の励起光（赤外光である波長８００ｎｍの光）、
ＥＬ３２  第６の励起光（赤外光である波長１１２０ｎｍの光）、
ＥＬ４２  第７の励起光（赤外光である波長１１２０ｎｍの光）、
ＥＬ５１  第８の励起光（赤外光である波長８００ｎｍの光）、
ＲＬ１    第１の蛍光（可視光である緑色の波長の光）、
ＲＬ２    第２の蛍光（可視光である赤色の波長の光）、
ＲＬ３    第３の蛍光（可視光である青色の波長の光）、
ＲＬ４    第４の蛍光（可視光である赤色の波長の光）、
ＲＬ５    第５の蛍光（可視光である青色の波長の光）、
Ｂ１  第１の励起光ＥＬ１１における表示フィルム１１２の内部で反射して伝搬する光路Ｋ１から離間した部分、
Ｂ２  第１の励起光ＥＬ１１における第１のプリズム１２４から表示フィルム１１２に入射するまでの光路Ｋ２から離間した部分、
Ｋ１  第１の励起光ＥＬ１１における表示フィルム１１２の内部で反射して伝搬する光路、
Ｋ２  第１の励起光ＥＬ１１における第１のプリズム１２４から表示フィルム１１２に入射するまでの光路、
Ｘ        表示フィルム１１２における第１の励起光ＥＬ１１等の伝搬方向、
Ｙ        表示フィルム１１２における第２の励起光ＥＬ１２等の伝搬方向、
Ｚ        表示フィルム１１２の厚み方向。
【図１】
0006717050.tif 000005
【図２】
0006717050.tif 000006
【図３Ａ】
0006717050.tif 000007
【図３Ｂ】
0006717050.tif 000008
【図４】
0006717050.tif 000009
【図５】
0006717050.tif 000010
【図６】
0006717050.tif 000011
【図７】
0006717050.tif 000012
【図８】
0006717050.tif 000013
【図９】
0006717050.tif 000014
【図１０】
0006717050.tif 000015
【図１１】
0006717050.tif 000016